(57)【要約】【課題】本発明は、高層・超高層建物の解体工法に関し、従来の解体工法では柱の切断に時間が掛かり、解体工事の工期が長期化することが課題であって、それを解決することである。【解決手段】建物を上層階から下層階に順に解体する建物の解体工事において、解体施工階の解体工事を施工する解体工程と、前記解体工程と平行して解体施工階の下層階における柱の内、当該柱の耐力により許容される範囲内の柱を切断する先行切断工程と、該切断した柱の周囲に仮設サポートを設置する仮設サポート設置工程とからなり、解体工事の進捗により前記解体施工階での解体工程と、前記先行切断工程と仮設サポート設置工程とを建物の下層階に向け繰り返して建物を解体する高層・超高層建物の解体工法とする。【選択図】図２
2014129668.tif 000002
【特許請求の範囲】
【請求項１】
建物を上層階から下層階に順に解体する建物の解体工事において、
解体施工階の解体工事を施工する解体工程と、
前記解体工程と平行して解体施工階の下層階における柱の内、当該柱の耐力により許容される範囲内の柱を切断する先行切断工程と、
該切断した柱の周囲に仮設サポートを設置する仮設サポート設置工程とからなり、
解体工事の進捗により前記解体施工階での解体工程と、前記先行切断工程と仮設サポート設置工程とを建物の下層階に向け繰り返して建物を解体すること、
を特徴とする高層・超高層建物の解体工法。
【請求項２】
解体工程では、解体施工階で設置されている仮設サポートおよび切断されている柱を撤去して、その後に施工階全体を解体すること、
を特徴とする請求項１に記載の高層・超高層建物の解体工法。
【請求項３】
柱の切断は、建物周囲への騒音を低減させるワイヤソー工法にて切断すること、
を特徴とする請求項１または２に記載の高層・超高層建物の解体工法。
【発明の詳細な説明】
【技術分野】
【０００１】
本発明は、高層・超高層建物の解体工法に関するものである。
【背景技術】
【０００２】
我が国において霞が関ビル等の超高層・高層建築物が建てられてから４０数年が経ち、これらの老朽化した建築物の解体工事が、今後益々増えることになる。そこで、従来、超高層・高層建築物の解体工法としては、例えば、特許文献１に記載されているように、建物の屋上にハットトラスを構築し、該ハットトラスを建物に支持されたマストで支持し、建物の最上階から解体重機により解体して、解体した解体材を排出路から排出し、前記マストを下層の階に下降させて当該下層の階で支持させ、解体が済んだ階の下の階を解体して行き、漸次上層の階から下層の階へ解体を進める解体工法が知られている。
【先行技術文献】
【特許文献】
【０００３】
【特許文献１】特開平０６−２７２４０３号公報
【発明の概要】
【発明が解決しようとする課題】
【０００４】
しかし、従来の高層・超高層建物の解体工法では、解体工事を施工する階の作業安全性を確保するため、その下階は解体作業を先行しない方法とされている。そのため、解体の作業効率は、解体施工階における構造体の圧砕や切断作業の所要時間に左右されることになる。特に、高層・超高層建物では、建物の自重および積載荷重を支えるために、柱の断面積が大きく、また、高強度の材料が使用されるため、解体重機による破砕やカッターによる切断に多くの時間が掛かるものである。それにより解体工事において工期が長期化するという課題がある。また、柱切断時に騒音が発生することで建物周辺に対する騒音対策も課題となる。本発明に係る高層・超高層建物の解体工法は、このような課題を解決するために提案されたものである。
【課題を解決するための手段】
【０００５】
本発明に係る高層・超高層建物の解体工法の上記課題を解決して目的を達成するための要旨は、建物を上層階から下層階に順に解体する建物の解体工事において、解体施工階の解体工事を施工する解体工程と、前記解体工程と平行して解体施工階の下層階における柱の内、当該柱の耐力により許容される範囲内の柱を切断する先行切断工程と、該切断した柱の周囲に仮設サポートを設置する仮設サポート設置工程とからなり、解体工事の進捗により前記解体施工階での解体工程と、前記先行切断工程と仮設サポート設置工程とを建物の下層階に向け繰り返して建物を解体することである。
【０００６】
前記解体工程では、解体施工階で設置されている仮設サポートおよび切断されている柱を撤去して、その後に施工階全体を解体することである。
更に、前記柱の切断は、建物周囲への騒音を低減させるワイヤソー工法にて切断することを含むものである。
【発明の効果】
【０００７】
本発明の高層・超高層建物の解体工法によれば、解体工事において時間が掛かる柱の切断作業を先行して施工するので、飛躍的に解体工事の期間が短縮される。また、騒音の激しい柱の切断工事を、建物の内部で先行して行うので、建物の周辺地域に対する工事騒音が低減され環境に優しい解体工法になると言う優れた効果を奏するものである。
【図面の簡単な説明】
【０００８】
【図１】本発明に係る高層・超高層建物の解体工法の先行切断工程を示す建物の平面図である。
【図２】同本発明の高層・超高層建物の解体工法による解体工事中の建物の断面図である。
【発明を実施するための形態】
【０００９】
本発明に係る高層・超高層建物の解体工法は、図１乃至図２に示すように、解体施工階の下層階において、柱を先行して切断する工法である。
【実施例１】
【００１０】
本発明に係る高層・超高層建物の解体工法は、建物を上層階から下層階に順に解体する建物の解体工事において、解体施工階の解体工事を施工する解体工程と、前記解体工程と平行して解体施工階の下層階における柱の内、当該柱の耐力により許容される範囲内の柱を切断する先行切断工程と、該切断した柱の周囲に仮設サポートを設置する仮設サポート設置工程とからなる。
【００１１】
そして、前記解体工事の進捗により前記解体施工階での解体工程と、前記先行切断工程と仮設サポート設置工程とを、建物の下層階に向け繰り返して、建物を解体する解体工法である。
【００１２】
前記先行切断工程では、図１に示すように、最初に解体工事の進捗状況に応じた各階の柱の必要保有水平耐力を算出する。それにより、切断可能な柱１ｂの本数を決定する。
【００１３】
そして、柱切断階の上部の重量である建物自重および施工荷重を算出して、必要な仮設サポート３の本数を決定する。上記柱１ｂの切断と仮設サポート３の設置とは、建物１の内側の柱と、その柱の周囲において施工されるものである。建物１の外周部の柱１ｃは、安全作業上により、先行して切断することはない。
【００１４】
解体重機２により解体施工階で解体作業を開始する。この解体工程と平行して、解体施工階の下層階で、ワイヤソー（図示せず）を用意して、前記切断することとなった柱１ｂの脚部を切断する。
【００１５】
前記柱１ｂの切断工事では、騒音の発生が問題となるが、この解体工法では、建物の内部で切断するので、工事騒音が低減され、且つ、前記ワイヤソーにより切断するので、コンクリート打撃音や破砕音などが抑制されて、更に騒音が低減される。
【００１６】
また、前記切断した柱１ｂの周囲で、図１乃至図２に示すように、仮設サポート３を設置する。
【００１７】
その後、解体工事の進捗により、前記解体工程では、解体施工階で設置されている仮設サポート３および切断されている柱１ｂを撤去して、その後に施工階全体を解体することになる。前記先行切断した柱１ｂは、解体重機２により引き倒して破砕するか、若しくは、揚重機によりそのまま地上へ吊り降ろすものである。
【００１８】
このような解体工法により、柱の切断工事が、解体工事の施工階の下層階で先行して施工されるので、解体工期が、例えば、１フロアについて従来よりも３日短縮される程になるなど、工期短縮に大きく貢献するものである。
【産業上の利用可能性】
【００１９】
本発明に係る高層・超高層建物の解体工法は、鉄筋コンクリート造（ＲＣ造）、鉄骨鉄筋コンクリート造（ＳＲＣ造）、鉄骨造（Ｓ造）を解体対象として適用できるものであり、特に、柱の切断に時間が掛かるＳＲＣ造で最も効果が顕著である。なお、本発明に係る解体工法は、建物の上から下へと解体する工法に適用されるものである。
【符号の説明】
【００２０】
１          建物、                      １ａ        解体した部分、
１ｂ        先行切断する柱、            １ｃ        先行切断しない柱、  
２          解体重機、
３          仮設サポート。
【図１】
2014129668.tif 000003
【図２】
2014129668.tif 000004